(57)【特許請求の範囲】
【請求項１】
商用交流電源を直流電源に変換し各部へ動作電源を供給する電源回路部を搭載する電源基板を金属等の不燃性材料で構成された電装品箱に収納し、各部の動作を制御する制御回路部を搭載する制御基板を前記電装品箱の外に配置する空気調和機の制御装置であって、  前記電源基板に、前記制御基板への供給電力を火災安全性の確保を定める規格値以下に制限する供給電力制限手段、
を設けたことを特徴とする空気調和機の制御装置。
【請求項２】
前記供給電力制限手段は、前記商用交流電源を直流電源に変換するスイッチング電源の１次側電流を監視して前記制限動作を行うことを特徴とする請求項１に記載の空気調和機の制御装置。
【請求項３】
前記供給電力制限手段は、前記商用交流電源を直流電源に変換するスイッチング電源の２次側電流を監視して前記制限動作を行うことを特徴とする請求項１に記載の空気調和機の制御装置。
【請求項４】
前記供給電力制限手段は、前記制御基板への供給電流を監視して前記制限動作を行うことを特徴とする請求項１に記載の空気調和機の制御装置。
【請求項５】
前記制御基板は、少なくとも当該空気調和機を所望の運転状態に制御するマイクロコンピュータ、運転状態の表示部およびリモコン信号の受信部を搭載し、１枚の基板で構成されていることを特徴とする請求項１〜４のいずれか一つに記載の空気調和機の制御装置。
【発明の詳細な説明】
【技術分野】
【０００１】
この発明は、空気調和機の制御装置に関するものである。
【背景技術】
【０００２】
セパレート型の空気調和機は、室内ユニットと室外ユニットとで構成される。室内ユニットには、室内空気温度を調整するための熱交換器、ファン及びファンモータからなる送風装置、風向を変えるフラップ及びフラップ駆動用の風向モータ、リモコンからの信号を受信するリモコン受信部、運転状態を表示する表示部などが収納されると共に、空気調和機の制御装置を搭載する回路基板を収めた電装品箱が収納されている。
【０００３】
この室内ユニットの電装品箱は、トラッキングや部品の偶発的な故障等によって万一、回路基板が発火しても当該室内ユニット外へ延焼しないように、亜鉛メッキ鋼板等の不燃物にて構成することが一般的となっている。
【０００４】
ここで、従来の電装品箱に収められる回路基板は、モータや表示部等の動作を制御する制御回路部と、商用交流電源を直流電源に変換し各部へ動作電源を供給する電源回路部とを搭載する一枚の基板で構成されている。
【０００５】
要するに、室内ユニットに収納される空気調和機の制御装置は、電源回路部と制御回路部とで構成されるが、従来では、火災安全性を確保するため、それらを同一の基板上に搭載し、不燃性の電装品箱に収納していた。
【０００６】
【特許文献１】特開２００１−１０２７７３号公報
【特許文献２】特開２００３−２８７２６４号公報
【特許文献３】特開平０４−２５４１３６号公報
【発明の開示】
【発明が解決しようとする課題】
【０００７】
上記のように、従来の電装品箱は、火災安全性を確保するために電源回路部と制御回路部とを共に搭載する回路基板を収納するため、回路基板を縮小しない限り大幅な小型化は困難である。そのため、従来では、電装品箱の配置に際し、室内ユニットの寸法を拡大したり、熱交換器の寸法を縮小したりして、電装品箱の配置スペースを確保する余分な配置設計が必要になる。
【０００８】
特に、近年では、室内ユニットの形状・寸法を変更することなく、熱交換器の寸法を拡大して省エネルギー化に対応する必要が生じ、また高機能化による室内ユニットへの収納部品の増加に対応する必要が生じているので、限られた空間に電装品箱を設置せざるを得なくなってきている。
【０００９】
しかし、電装品箱は、板金加工で形成するので、確保できる配置スペースも単純な形状であることが望ましいが、電装品箱を単純な形状で収納できる配置スペースを確保することは困難な場合が多い。そのため、確保できた配置スペースの形状に合わせるために電装品箱の形状が複雑となり、複雑な折り曲げ板金加工を施す必要もあり、コストアップに繋がるなどの問題があった。
【００１０】
そこで、回路基板を縮小して電装品箱の小型化を図ることが考えられる。すなわち、制御装置を、電源回路部を搭載する電源基板と制御回路部を搭載する制御基板とに分けて構成し、電源基板は電装品箱に収納し、制御基板は電装品箱の外に配置すれば、容易に電装品箱を板金加工に適した単純な形状で所望の大きさに小型化することができる。但し、この場合でも、火災安全性は、従来通り確保する必要があるので、電装品箱の外に配置する制御基板の火災安全性をどのようにして確保するかが問題である。
【００１１】
この発明は、上記に鑑みてなされたものであり、火災安全性を損なうことなく電装品箱を板金加工に適した単純な形状で小型化することが可能な空気調和機の制御装置を得ることを目的とする。
【課題を解決するための手段】
【００１２】
上述した目的を達成するために、この発明は、商用交流電源を直流電源に変換し各部へ動作電源を供給する電源回路部を搭載する電源基板を金属等の不燃性材料で構成された電装品箱に収納し、各部の動作を制御する制御回路部を搭載する制御基板を前記電装品箱の外に配置する空気調和機の制御装置であって、前記電源基板に、前記制御基板への供給電力を火災安全性の確保を定める規格値以下に制限する供給電力制限手段を設けたことを特徴とする。
【００１３】
この発明によれば、電装品箱の大幅な小型化を可能にすべく、制御装置を電源基板と制御基板とに分けて構成し、電装品箱には電源基板のみを収納しても、電装品箱内の電源基板が電装品箱の外に配置する制御基板への供給電力を火災安全性の確保を定める規格値以下に制限できるので、火災安全性を従来通りに確保することができる。したがって、板金加工に適した単純な形状で小型化が可能であるので、電装品箱の限られたスペースへの配置では、得られた配置スペースの形状に合わせる複雑な板金加工を施す必要がなく、電装品箱を板金加工に適した単純な形状での小型化によって対応することが可能となり、コストダウンが図れる。
【発明の効果】
【００１４】
この発明によれば、火災安全性を損なうことなく電装品箱を単純な形状で小型化することが可能になるので、コストダウンが図れるとともに、例えば、熱交換器の寸法拡大による省エネルギー化への対応や高機能化による室内ユニットへの収納部品の増加に対し、室内ユニットの形状・寸法を変更することなくを柔軟に対応できるという効果を奏する。
【発明を実施するための最良の形態】
【００１５】
以下に図面を参照して、この発明にかかる空気調和機の制御装置の好適な実施の形態を詳細に説明する。
【００１６】
実施の形態１．
図１は、この発明の実施の形態１による空気調和機の制御装置の室内ユニットにおける配置態様の一例を説明する展開斜視図である。図１では、室内ユニットの正面側を展開して内部の機械的な配置構成が示されている。図１において、空気調和機の室内ユニットに設けられるこの発明による制御装置は、電装品箱１に収納される電源基板２と、電装品箱１の外に配置される制御基板３とをケーブル４で接続した構成である。
【００１７】
電源基板２は、プラスチック樹脂を成形した収納箱に保持され、電装品箱１は、この収納箱の外周囲を金属で被覆する箱体である。電源基板２には、商用交流電源を直流電源に変換し各部へ動作電源を供給する従来の電源回路部に加えて、この発明による供給電力制限手段が搭載されている。図１では搭載部品数は少なく示してあるが、この電源基板２には、後述する電源基板２ａ（図２）、電源基板２ｂ（図３）、電源基板２ｃ（図４）に示す各種の部品や図示しないその他の部品が搭載される。その中にケーブル４の一端を接続するコネクタが含まれている。
【００１８】
電装品箱１の一側部は開口し、この開口部から室内ユニットの外部に向かって、電源基板２の収納箱と連通して一体成形したプラスチック樹脂製の内外接続ケーブル貫通部５と電源コード貫通部６とが延設されている。内外接続ケーブル貫通部５には、電源基板２と室外ユニットとの電気的な接続を行う内外接続ケーブルが挿通される。電源コード貫通部６には、電源基板２と商用交流電源とを接続する電源コードが挿通される。
【００１９】
制御基板３は、電装品箱１を囲む室内ユニットの側壁面や天井面に取り付けられる。図１では、室内ユニットの前面側壁面に取り付けた場合が示されている。制御基板３には、各部の動作を制御する制御回路部が搭載される。この発明では、この制御基板３は、少なくとも当該空気調和機を所望の運転状態に制御するマイクロコンピュータ（以降、「マイコン」と記す）３１、リモコン信号の受信部３２および運転状態の表示部３３を搭載し、１枚の基板で構成されている。後述する図２〜図４では、この基本的な構成が示されている。図１では、図２〜図４に図示しないその他の部品も示されている。その中にケーブル４の他端を接続するコネクタが含まれている。
【００２０】
このように、制御装置を電源基板２と制御基板３とに分けて構成し、制御基板３を電装品箱１の外に配置するので、電源基板２のみを収容する電装品箱１は、小型化を図ることが容易になる。したがって、限られたスペースへの電装品箱１の配置では、得られた配置スペースの形状に合わせる複雑な板金加工を施す必要がなく、板金加工に適した単純形状での小型化によって対応することができ、コストアップを招来することはない。
【００２１】
そして、電装品箱１の外に配置する制御基板３の火災安全性は、電源基板２に搭載したこの発明による供給電力制限手段が、制御基板３への供給電力を火災安全性の確保を定める規格値以下に制限することで確保するようにしている。この供給電力制限手段は、例えば、電源基板２ａ（図２）、電源基板２ｂ（図３）、電源基板２ｃ（図４）に示す各種の態様で構成することができる。
【００２２】
以下、それらを実施の形態２、実施の形態３、実施の形態４として、この順に、制御基板３の火災安全性を確保する供給電力制限手段の構成と動作について説明する。なお、図２〜図４では、この発明を実施する上で関連する主な構成要素を示してある。
【００２３】
実施の形態２．
図２は、この発明の実施の形態２による空気調和機の制御装置の電気的構成を示す要部ブロック図である。図２に示すこの実施の形態２による空気調和機の制御装置は、電装品箱１内に収納される電源基板２ａと電装品箱１の外に配置される制御基板３とをケーブル４で接続した構成である。
【００２４】
電源基板２ａには、ブリッジ整流回路２０、平滑用コンデンサ２１、スイッチング電源であるスイッチングトランス２２、コンバータ制御部２３、整流ダイオード２４、平滑用コンデンサ２５、直流出力端子２６、モータ制御部２７、室外ユニット給電用リレー２８等が搭載されている。この電源基板２ａには、図１にて説明したように、室内ユニット外部の商用交流電源１０が接続される。また、室内ユニット内に配置されるファンモータ４１が接続されている。
【００２５】
制御基板３には、マイコン３１、リモコン受信部３２、運転表示部３３等が搭載されている。また、制御基板３には、室内ユニット内に配置される風向モータ４２が接続されている。
【００２６】
電源基板２ａでは、室内ユニット外部の商用交流電源１０が、ブリッジ整流回路２０の入力端に接続されるとともに、室外ユニット給電用リレー２８を介して室外ユニットへ送出される。ブリッジ整流回路２０の出力端子間には、平滑用コンデンサ２１とファンモータ４１とがそれぞれ接続されている。
【００２７】
また、ブリッジ整流回路２０の出力端子間には、スイッチングトランス２２の一次巻線２２ａとコンバータ制御部２３との直列回路が接続されている。このコンバータ制御部２３は、スイッチングトランス２２の一次巻線２２ａに流れる電流を制御するスイッチング素子を備えるとともに、そのスイッチング素子に流れる電流を制限する電流制限部２３ａを備えている。この実施の形態２では、電流制限部２３ａが供給電力制限手段を構成している。
【００２８】
スイッチングトランス２２の二次巻線２２ｂの非接地端には、整流ダイオード２４のアノードが接続され、整流ダイオード２４のカソードに平滑コンデンサ２５の一端と直流出力端子２６とが接続されている。平滑コンデンサ２５の他端は、スイッチングトランス２２の二次巻線２２ｂの接地端に接続されている。
【００２９】
直流出力端子２６には、電源基板２ａ内の室外ユニット給電用リレー２８のコイル、制御基板３内のマイコン３１、リモコン受信部３２、運転表示部３３、当該室内ユニット内に配置される風向モータ４２等が接続されている。スイッチングトランス２２の二次巻線２２ｂの接地端は、マイコン３１にも接続されている。
【００３０】
また、制御基板３では、マイコン３１に、リモコン受信部３２、運転表示部３３、当該室内ユニット内に配置される風向モータ４２等が接続されるとともに、電源基板２ａ内のモータ制御部２７、室外ユニット給電用リレー１０のコイル等が接続され、各部の動作制御を行っている。モータ制御部２７は、マイコン３１の制御下にファンモータ４１を回転駆動する。
【００３１】
次に、動作について説明する。商用交流電源１０の交流電圧は、ブリッジ整流回路２０にて全波整流され、平滑用コンデンサ２１にて平滑されて直流電圧となり、図示例では、スイッチングトランス２２の一次巻線２２ａとファンモータ４１とに印加される。
【００３２】
平滑された直流電圧がある電圧値以上になると、コンバータ制御部２３が起動し、スイッチングトランス２２の二次巻線２２ｂに低電圧が発生し、マイコン３１等、直流出力端子２６に接続された各部に供給される。これによって、マイコン３１が動作を開始する。マイコン３１は、リモコン受信部３２から入力される運転指令に従って、室外ユニット給電用リレー１０のコイルに電流を供給してその接点を閉路させ室外ユニットに商用交流電源１０を供給するとともに、運転表示部３３やファンモータ４１、風向モータ等を駆動し、通常の空調運転を行う。
【００３３】
その過程で、コンバータ制御部２３に設けた電流制限部２３ａは、スイッチング素子を流れる電流を監視し、つまり一次巻線２２ａを流れる電流を監視し、その電流値が以下のようにして定めた制限電流値に達すると、スイッチング素子をオフ動作状態に引き込み、直流出力端子２６に送出するスイッチング電源の最大出力電力が火災安全性の確保を定める規格値以下の電力となるようにしている。
【００３４】
すなわち、スイッチング電源の出力電力Ｐｏは、スイッチングトランス２２の一次巻線２２ａのインダクタンスＬ、一次巻線２２ａ及びコンバータ制御部２３のスイッチング素子に流れる電流ピーク値Ｉ、スイッチング素子の動作周波数ｆ、効率ηによって決定されるもので、式（１）で示される。
Ｐｏ＝Ｌ×Ｉ2×ｆ×η÷２  …（１）
【００３５】
そこで、この実施の形態２では、最大出力電力Ｐｍａｘが、国際規格ＩＥＣ６０３３５−１（家庭用及びこれに類する電気機器の安全性）において、故障状態を想定した確認が除外され、故障したとしても安全上問題ないと定義されている小電力回路の規格値「１５Ｗ」以下になるように、スイッチング素子の動作周波数ｆ、スイッチングトランス２２のインダクタンスＬや一次巻線２２ａと二次巻線２２ｂとの巻数比を設定するとともに、監視する電流制限値Ｉｌｉｍｉｔ１を設定している。
【００３６】
つまり、電流制限部２３ａは、スイッチングトランス２２の一次巻線を流れる電流のピーク値Ｉが電流制限値Ｉｌｉｍｉｔ１に達すると、スイッチング素子をオフ動作状態に引き込むので、最大出力電力Ｐｍａｘは、
Ｐｍａｘ＝Ｌ×Ｉｌｉｍｉｔ１2×ｆ×η÷２  …（２）
に制限される。この実施の形態では、最大出力電力Ｐｍａｘは、１５Ｗ以下である。
【００３７】
これにより、板金にて遮蔽された電装品箱１の外に配置された制御基板３への供給電力は、あらゆる故障状態を想定しても１５Ｗ以下となるので、従来通りに安全性は確保される。
【００３８】
このように、実施の形態２によれば、従来から搭載されているスイッチング電源やコンバータ制限部の調整のみで電装品箱の外に配置する制御基板への供給電力を火災安全性の確保を定める規格値１５Ｗ以下に制限できるので、供給電力制限用の部品を新たに設ける必要がない。したがって、制御装置を電源基板と制御基板とに分けて構成し、電装品箱には電源基板のみを収納しても、火災安全性を損なうことなく、電装品箱の大幅な小型化を実施することが可能になる。
【００３９】
実施の形態３．
図３は、この発明の実施の形態３による空気調和機の制御装置の電気的構成を示す要部ブロック図である。なお、図３では、図２（実施の形態２）に示した構成要素と同一ないしは同等である構成要素には同一の符号が付されている。ここでは、この実施の形態３に関わる部分を中心に説明する。
【００４０】
すなわち、図３に示すように、実施の形態３による空気調和機の制御装置では、図２（実施の形態２）に示した構成において、電源基板２ａに代えた電源基板２ｂが設けられている。電源基板２ｂでは、電流検出部２９ａが整流ダイオード２４のカソードと平滑コンデンサ２５の一端との接続点と直流出力端子２６との間に設けられる。
【００４１】
そして、コンバータ制御部２３では、電流制限部２３ａに代えた電流制限部２３ｂが設けられ、電流検出部２９ａの検出信号が電流制限部２３ｂに入力される。電流制限部２３ｂは、フォトカプラ等の電気的絶縁手段を通して電流検出部２９ａの検出信号を取り込むようになっている。この実施の形態３では、電流検出部２９ａと電流制限部２３ｂの全体が供給電力制限手段を構成している。
【００４２】
次に、この実施の形態３に関わる部分の動作について説明する。ここでは、２通りの方法を採ることができる。
【００４３】
（１）電流検出部２９ａは、単に、整流ダイオード２４のカソードと平滑コンデンサ２５の一端との接続点から直流出力端子２６への供給電流値を検出するだけである場合は、電流制限部２３ｂは、スイッチング電源の最大出力電力が１５Ｗ以下となるように予め設定してある電流制限値Ｉｌｉｍｉｔ２に基づき電流検出部２９ａの検出電流値を監視し、それが電流制限値Ｉｌｉｍｉｔ２に到達すると、直ちにコンバータ制御部２３内のスイッチング素子をオフ動作状態に引き込む。
【００４４】
（２）電流検出部２９ａに電流制限値Ｉｌｉｍｉｔ２が予め設定してあり、電流検出部２９ａが整流ダイオード２４のカソードと平滑コンデンサ２５の一端との接続点から直流出力端子２６への供給電流値を監視し、それが電流制限値Ｉｌｉｍｉｔ２に到達すると、検出信号を出力する場合は、電流制限部２３ｂは、単に電流検出部２９ａの検出信号を受けて直ちにコンバータ制御部２３内のスイッチング素子をオフ動作状態に引き込む。
【００４５】
いずれの方法によっても、直流出力端子２６での電圧値をＶｏとすれば、コンバータ制御部２３内のスイッチング素子をオフ動作状態に引き込むことで、スイッチング電源の最大出力電力Ｐｍａｘは、Ｐｍａｘ＝Ｉｌｉｍｉｔ２×Ｖｏに制限される。
【００４６】
このように、実施の形態３によれば、制御基板への供給電力の制限をスイッチング電源の二次側電流を監視して行うので、火災安全性を確保するのに必要な電力制限を高い精度で実施することができる。
【００４７】
実施の形態４．
図４は、この発明の実施の形態４による空気調和機の制御装置の電気的構成を示す要部ブロック図である。なお、図４では、図２（実施の形態２）に示した構成要素と同一ないしは同等である構成要素には同一の符号が付されている。ここでは、この実施の形態４に関わる部分を中心に説明する。
【００４８】
すなわち、図４に示すように、実施の形態４による空気調和機の制御装置では、図２（実施の形態２）に示した構成において、電源基板２ａに代えた電源基板２ｃが設けられている。電源基板２ｃでは、電流検出部２９ｂが直流出力端子２６と制御基板３との間に設けられる。
【００４９】
そして、コンバータ制御部２３では、電流制限部２３ａに代えた電流制限部２３ｃが設けられ、電流検出部２９ｂの検出信号が電流制限部２３ｃに入力される。電流制限部２３ｃは、フォトカプラ等の電気的絶縁手段を通して電流検出部２９ｂの検出信号を取り込むようになっている。この実施の形態４では、電流検出部２９ｂと電流制限部２３ｃの全体が供給電力制限手段を構成している。
【００５０】
この構成によれば、電流検出部２９ｂと電流制限部２３ｃは、実施の形態３での対応要素と符号を違えてあるが、制御基板３に流れる電流のみを対象とする点が異なるのみであり、同様の動作を行うので、再述はしないが、制御基板３への供給電力を実施の形態３と同様に２通りの方法で制限できる。
【００５１】
このように、この実施の形態４によれば、制御基板３への供給電力を制御基板３で消費する電流のみを監視して行うので、室外ユニット給電用リレー２８のコイル電流など、電源基板２ｃ内で消費される電流に制限を設ける必要がないので、設計の自由度を広げることが可能となる。
【００５２】
以上のように、この発明によれば、電装品箱の大幅な小型化を可能にすべく制御装置を電源基板と制御基板とに分けて構成し、電装品箱には電源基板のみを収納しても、電装品箱内の電源基板が電装品箱の外に配置する制御基板への供給電力を火災安全性の確保を定める規格値（例えば１５Ｗ）以下に制限できるので、火災安全性を従来通りに確保することができる。
【００５３】
したがって、電装品箱を限られたスペースに配置する場合、得られた配置スペースに合わせる複雑な板金加工を施す必要がなく、火災安全性を損なうことなく可能となる板金加工に適した単純な形状での小型化によって対応することができ、コストダウンが図れる。
【００５４】
また、例えば、熱交換器の寸法拡大による省エネルギー化への対応や高機能化による室内ユニットへの収納部品の増加に対し、室内ユニットの形状・寸法を変更することなく、電装品箱の小型化によってそれらの配置スペースの確保が可能になり、柔軟な配置設計が行えるようになる。
【産業上の利用可能性】
【００５５】
以上のように、この発明にかかる空気調和機の制御装置は、火災安全性を損なうことなく電装品箱を板金加工に適した単純な形状で小型化するのに有用であり、特に、熱交換器の寸法拡大による省エネルギー化への対応や高機能化による室内ユニットへの収納部品の増加に対して、室内ユニットの形状・寸法を変更することなく、それらの配置スペースを確保するのに適している。
【図面の簡単な説明】
【００５６】
【図１】この発明の実施の形態１による空気調和機の制御装置の室内ユニットにおける配置態様を説明する展開斜視図である。
【図２】この発明の実施の形態２による空気調和機の制御装置の電気的構成を示す要部ブロック図である。
【図３】この発明の実施の形態３による空気調和機の制御装置の電気的構成を示す要部ブロック図である。
【図４】この発明の実施の形態４による空気調和機の制御装置の電気的構成を示す要部ブロック図である。
【符号の説明】
【００５７】
１  電装品箱
２，２ａ，２ｂ，２ｃ  電源基板
３  制御基板
４  ケーブル
１０  商用交流電源
２０  ブリッジ整流回路
２１  平滑用コンデンサ
２２  スイッチング電源であるスイッチングトランス
２３  コンバータ制御部
２３ａ，２３ｂ，２３ｃ  電流制限部
２４  整流ダイオード
２５  平滑用コンデンサ
２６  直流出力端子
２７  モータ制御部２７
２８  室外ユニット給電用リレー
２９ａ，２９ｂ  電流検出部
３１  マイクロコンピュータ（マイコン）
３２  リモコン受信部
３３  運転表示部
４１  ファンモータ
４２  風向モータ
【図１】
0004429999.tif 000002
【図２】
0004429999.tif 000003
【図３】
0004429999.tif 000004
【図４】
0004429999.tif 000005